(57)【要約】【課題】カメラ背面に大型の表示装置を配置しても表示が手で妨げられないようにする。【解決手段】カメラの背面を手で覆わないように同一の手の親指および中指をそれぞれカメラ本体１００の下面および上面に当ててカメラ本体１００を保持するようにする。これにより、背面に大型の表示装置４を配置しても表示が妨げられることはない。レリーズボタンは、本体の背面から後方に突出する操作部５に設けられているので、カメラを保持する手の人差し指でレリーズボタンを難なく操作できる。カメラ非使用時には、操作部５を後方非突出状態にすることで、携帯性および収納性の後方が図れる。【選択図】図７
2008058484.tif 000002
【特許請求の範囲】
【請求項１】
カメラ本体の前面に撮影レンズ、背面に表示装置をそれぞれ配置して成るカメラにおいて、
前記背面を手で覆わないように同一の手の親指および中指をそれぞれ前記カメラ本体の下面および前記上面に当ててカメラ本体を保持したときに、同一の手の人差し指で押圧操作可能な位置にレリーズボタンを設けたことを特徴とするカメラ。
【請求項２】
前記レリーズボタンは、前記上面の前記中指があたる箇所の後方に設けられていることを特徴とする請求項１に記載のカメラ。
【請求項３】
前記レリーズボタンは、前記背面から後方に突出する突出部の上面に設けられていることを特徴とする請求項２に記載のカメラ。
【請求項４】
前記突出部は、前記背面から後方に突出する後方突出状態と、後方への突出がない後方非突出状態との間で移動可能とされることを特徴とする請求項３に記載のカメラ。
【請求項５】
後方非突出状態は、カメラ本体の上方に突出する状態であることを特徴とする請求項４に記載のカメラ。
【請求項６】
前記突出部を前記後方突出状態にするのに連動してカメラの電源がオンし、前記後方非突出状態にするのに連動してカメラの電源がオフするよう構成したことを特徴とする請求項３〜５のいずれかに記載のカメラ。
【請求項７】
前記突出部には、一対の操作ボタンが前記レリーズボタンを挟んでカメラ横方向に並設されていることを特徴とする請求項３〜６のいずれかに記載のカメラ。
【請求項８】
前記カメラ本体の下面および上面には、それぞれ前記親指および中指が当たる箇所に、カメラ保持を補助するための措置が施されていることを特徴とする請求項１〜７のいずれかに記載のカメラ。
【請求項９】
前記撮影レンズは前記カメラ本体の上部に設けられ、カメラの前後方向の厚さは、下方に至るほど薄いことを特徴とする請求項１〜８のいずれかに記載のカメラ。
【発明の詳細な説明】
【技術分野】
【０００１】
本発明は、背面に大型の表示装置を有するカメラに関する。
【背景技術】
【０００２】
電子カメラの多くは、撮像した画像や文字情報などを表示可能な液晶モニタ等の表示装置を有しており、この種の表示装置は、カメラ背面（撮影時に撮影者と対向する面）に配置されるのが一般的である（例えば、特許文献１参照）。
【０００３】
【特許文献１】特開平１１−３３１６６２号公報（図４）
【発明の開示】
【発明が解決しようとする課題】
【０００４】
画像を大きく見易く表示したり、より多くの情報を表示するには、カメラ背面の表示装置は大きいほどよい。しかし、表示装置を大きくすると、例えば特許文献１のような通常のカメラの持ち方では、カメラを保持する手で表示装置の画面を覆ってしまい、その部分の表示情報が見づらくなる。
【課題を解決するための手段】
【０００５】
本発明は、カメラ本体の前面に撮影レンズ、背面に表示装置をそれぞれ配置して成るカメラに適用され、背面を手で覆わないように同一の手の親指および中指をそれぞれカメラ本体の下面および上面に当ててカメラ本体を保持したときに、同一の手の人差し指で押圧操作可能な位置にレリーズボタンを設けたことを特徴とする。
レリーズボタンは、本体上面の中指があたる箇所の後方に設けてもよい。レリーズボタンは、背面から後方に突出する突出部の上面に設けてもよい。
上記突出部は、背面から後方に突出する後方突出状態と、後方への突出がない後方非突出状態との間で移動可能としてもよい。後方非突出状態は、カメラ本体の上方に突出する状態であってもよい。突出部を後方突出状態にするのに連動してカメラの電源がオンし、後方非突出状態にするのに連動してカメラの電源がオフするよう構成してもよい。突出部には、一対の操作ボタンがレリーズボタンを挟んでカメラ横方向に並設されていてもよい。
カメラ本体の下面および上面には、それぞれ親指および中指が当たる箇所に、カメラ保持を補助するための措置が施されていてもよい。
撮影レンズをカメラ本体の上部に設け、カメラの前後方向の厚さを、下方に至るほど薄くしてもよい。
【発明の効果】
【０００６】
本発明によれば、カメラ背面を手で覆うことなく、しかも操作性を損なうことなくカメラを保持可能な構造としたので、カメラ背面に大型の表示装置を問題なく配置できる。
【発明を実施するための最良の形態】
【０００７】
図１〜図７により本発明の一実施の形態を説明する。
図は本実施形態におけるカメラの外観を示し、図１〜図５は電源オフ時の、図６，図７は電源オン時の状態をそれぞれ示している。カメラ本体１００は、横長の略直方体形状をなし、その前面には、撮影レンズ１と閃光装置の発光窓２（図６（ｂ））が設けられている。これらは、電源オフ時にはレンズバリア３で覆われる。
【０００８】
カメラ本体１００の背面には、その大部分を占めるように大型の液晶モニタ４（図２）が配置されている。液晶モニタ４には、繰り返し撮像される画像を逐次更新表示するスルー画表示（ライブビューとも呼ばれる）が可能であり、撮影者はそのスルー画を見ながら構図を決定することができる。また液晶モニタ４には、種々の文字情報や画像の輝度分布（ヒストグラム）を画像とともに表示したり、非撮影時には、メニュー画面や、再生画像選択画面なども表示させることができる。画面が大型なので、いずれの表示形態においても多くの情報を見易く表示できる。
【０００９】
５は可倒式の操作部であり、レリーズボタン６およびズームボタン７ａ，７ｂの載置部を構成するとともに、それ自体が電源スイッチ操作部材を構成する。すなわち、操作部５は、カメラ本体１００の上方に突出する位置（オフ位置：図１〜図６）と、背面側に突出する位置（オン位置：図７，図８）との間で回動可能であり、オン位置に回動するのに連動してカメラの電源がオンし、オフ位置に回動するのに連動して電源がオフする。
【００１０】
レリーズボタン６は、操作部５の上面（オン位置において上を向く面）のほぼ中央に設けられ、ズームボタン７ａ，７ｂは、レリーズボタン６を挟んでカメラ横方向に並設されている。撮影時以外には、ズームボタン７ａ，７ｂに他の機能（例えば、メニューや表示画像選択機能）が割り付けられるようにしてもよい。
【００１１】
ここで、上記ような大型の液晶モニタ４をカメラ本体１００の背面に設けると、カメラの構え方によってはモニタ画面を手で覆ってしまう。特にカメラ横方向に関しては、液晶モニタ４が背面のほぼ全域に渡っており、従来の構え方をすると、右手の親指がモニタ４の右側部分にかかってしまい、その部分に表示された画像または情報が見づらくなる。
【００１２】
そこで本実施形態では、図７に示すように、カメラ本体１００の右側（撮影者から見て）を右手の中指と親指とで上下に挟んで保持できる構造とした。この保持方法によれば、手がカメラ本体１００の背面を全く覆うことがないので、背面の液晶モニタ４を可能な限り大型化してもその視認が妨げられることはない。
【００１３】
カメラ本体１００の高さは、上記の保持方法でも指に無理な力がかからない程度の寸法に抑えられ、またカメラの重量も極力軽くされる。また本体１００上面のうち中指を置くべき箇所には、滑り止め用の複数の小突起８が突設される一方、カメラ本体１００下面（底面）のうち親指を当てるべき箇所には、横長の凹部９が形成されている。これらの小突起８や凹部９は、カメラの保持を補助すると同時に、指を当てるべき位置の目印にもなるので、ユーザがカメラの保持方法を誤ることはない。
【００１４】
以上のように構成されたカメラにおいて、カメラ非使用時には、上述したように操作部５がオフ位置にあり、カメラは電源オフ状態にある。このとき、操作部５の背面（オン位置における上面）はカメラ本体１００の背面とほぼ面一であり、背面側に凹凸がないので、携帯性、収納性に優れている。例えば、カメラをポケットなどに入れて持ち歩く際に非常に好都合である。
【００１５】
カメラの使用にあたっては、まず上記操作部５をオン位置に倒し、カメラに電源を投入する。これに伴ってレンズバリア３が自動的に開き、撮影レンズ１および閃光装置の発光窓２が露出する。この状態で図７のようにカメラを保持し、液晶モニタ４のスルー画を見ながら構図を合わせる。液晶モニタ４を手で覆うことがないので、画面全体を隈無く視認可能である。
【００１６】
図７（ａ）から分かるように、操作部５は、中指を当てる位置の直ぐ後方（撮影者側）に位置するので、操作部５の上面にあるレリーズボタン６やズームボタン７ａ，７ｂを右手の人差し指で無理なく押圧することができる。また棚状の操作部５を採用することで、カメラ本体１００の厚さを必要以上に厚くすることなく適切な位置にボタン類を配置できる。さらに、カメラ本体１００の上面が前方に下る斜面となっているので、中指を当てる位置よりもボタン類がやや高い位置にあり、操作性がより良い。
【００１７】
ここで、カメラ本体１００の上部は撮影レンズ１や撮像素子が収納されるため、ある程度の厚さを必要とするが、下部はそれだけの厚さは必要ない。そこで本実施形態では、図示の如くカメラ本体１００が下方に至るほど薄くなるような形状とし、見栄えを損なうことなくカメラの薄型化を図っている。
【００１８】
なお、操作部５は電源オン・オフ機能を備えていなくてもよい。また操作部５は可倒式でなくてもよく、常に後方に突出する位置にあってもよい。またカメラ本体にある程度の厚みがあれば、特に棚状の操作部を設けずとも、カメラ本体の上面にレリーズボタンや他のボタンを配置できる。
【図面の簡単な説明】
【００１９】
【図１】本発明の一実施形態における電子カメラ（電源オフ状態）を示し、（ａ）が上面図、（ｂ）が正面図、（ｃ）が底面図、（ｄ）が左側面図。
【図２】上記電子カメラの背面図。
【図３】図１（ｂ）のＡ方向断面図。
【図４】図１（ｂ）のＢ方向断面図。
【図５】図１（ｂ）のＣ方向断面図。
【図６】上記電子カメラ（電源オン状態）を示し、（ａ）が上面図、（ｂ）が正面図。
【図７】電源オン時のカメラの保持方法を説明する図で、（ａ）が側面図、（ｂ）が背面図。
【符号の説明】
【００２０】
１  撮影レンズ
５  操作部
６  レリーズボタン
７ａ，７ｂ  ズームボタン
１００  カメラ本体
８  滑り止め用の複数の小突起
９  凹部
１００  カメラ本体
【図１】
2008058484.tif 000003
【図２】
2008058484.tif 000004
【図３】
2008058484.tif 000005
【図４】
2008058484.tif 000006
【図５】
2008058484.tif 000007
【図６】
2008058484.tif 000008
【図７】
2008058484.tif 000009